(57)【要約】【課題】  従来品は、周方向に設けられた複数のハンガーアームの長さが同一であるため、近接するハンガーアームに洗濯物を干すと、吊り下げ杆側の縁辺が接触して乾き難くなる。【解決手段】  吊下げ杆の上部にフック機構を設け、吊下げ杆の下部に設けた基台の周方向複数箇所には、アーム長の異なる複数本のハンガーアームを吊下げ杆を中心に放射状に倒伏させた吊下げ姿勢と起立させた格納姿勢とに揺動切替え自在に交互に枢着するパラソルハンガーであって、複数本のハンガーアームを格納姿勢で係合保持する係合状態とハンガーアームの倒伏を許容する係合解除状態とに切替え自在な係合手段を設けた。【選択図】          図１
2008018194.tif 000002
【特許請求の範囲】
【請求項１】
吊下げ杆の上部にフック機構を設け、吊下げ杆の下部に設けた基台の周方向複数箇所には、アーム長の異なる複数本のハンガーアームを吊下げ杆を中心に放射状に倒伏させた吊下げ姿勢と起立させた格納姿勢とに揺動切替え自在に交互に枢着したパラソルハンガー。
【請求項２】
前記複数本のハンガーアームを格納姿勢で係合保持する係合状態とハンガーアームの倒伏を許容する係合解除状態とに切替え自在な係合手段を設けてある請求項１記載のパラソルハンガー。
【請求項３】
前記係合手段が、各ハンガーアームに形成された被係合部と、格納姿勢にある全てのハンガーアームの被係合部に対して係合可能な係合部を備え、かつ、吊下げ杆に対して一定範囲内で摺動自在に外嵌保持された係止体とから構成されている請求項２記載のパラソルハンガー。
【請求項４】
前記各ハンガーアームの少なくとも基端側には、該ハンガーアームに掛止された洗濯物を弾性力で挾持する挾持体が一体形成されているとともに、前記被係合部が、少なくとも前記挾持体の一部をもって形成されている請求項１〜３のいずれか１項に記載のパラソルハンガー。
【請求項５】
前記フック機構には、フック開口と向きが逆になる補助フックが配備されている請求項１〜４のいずれか１項に記載のパラソルハンガー。
【請求項６】
前記ハンガーアームには、延出方向に沿って嵌合レールが形成され、この嵌合レールに対して着脱自在であるとともに、嵌合レールと嵌合状態で摺動可能なレール受けを有する洗濯はさみが備えられている請求項１〜５のいずれか１項に記載のパラソルハンガー。
【発明の詳細な説明】
【技術分野】
【０００１】
本発明は、複数本のハンガーアームを吊下げ杆を中心に放射状に倒伏させた吊下げ姿勢と、複数本のハンガーアームを吊下げ杆を中心に起立させた格納姿勢とに切替えすることができるパラソルハンガーに関する。
【背景技術】
【０００２】
この種のパラソルハンガーは、タオルや下着等の洗濯物を干すのに、一般家庭等で多く用いられている。従来、この種のパラソルハンガーＡＡとしては、図５に示すように、吊下げ杆１００の上部に開閉自在な開閉フック２００が設けられ、吊下げ杆１００の中間部に設けたアーム支持台３００の下部に配備されたグリップ部５００に配備された開閉レバー６００を操作することによって、開閉フック２００を閉じ状態から開き状態に変更して物干し竿に吊下げることができるとともに、アーム支持台３００を吊下げ杆に沿って下方に移動させることによって起立姿勢で一纏まりになっている多数のハンガーアーム４００の拘束を解除して、多数のハンガーアーム４００を物干し姿勢である吊下げ姿勢にすることが可能であり、反対に、アーム支持台３００を吊下げ杆１００に沿って上方に移動させることによって、吊下げ姿勢の多数のハンガーアーム４００を起立姿勢のまま拘束することが可能な構成のものである（例えば、特許文献１参照。）。
【特許文献１】実開平０６−３８７号公報
【発明の開示】
【発明が解決しようとする課題】
【０００３】
そして、このような構成のパラソルハンガーＡＡを、ハンガーアーム４００が起立姿勢となった折り畳み状態から、物干し竿に掛けて洗濯物を干すことができる状態にするには、まず、開閉レバー６００を操作することによって物干し竿に開閉フック２００を掛けた後、アーム支持台３００を下げてハンガーアーム４００を起立姿勢から吊下げ姿勢に開き状態にするか、又は、始めにアーム支持台３００を下げてハンガーアーム４００を起立姿勢から吊下げ姿勢に開き状態にした後、開閉レバー６００を操作することによって物干し竿に開閉フック２００を掛けることが行われている。そのため、洗濯物を干せる状態にするには、開閉フック２００を物干し竿に掛けるレバー操作と、ハンガーアーム４００を起立姿勢から吊下げ姿勢、又はこれとは逆に吊下げ姿勢から起立姿勢にするアーム支持台３００の移動操作が必要であり、しかもそれらは全く動作が異なる手指操作であるため、取扱いにくく、使い勝手が悪い問題がある。また、周方向に設けられた複数のハンガーアーム４００の長さが同一であるため、近接するハンガーアーム４００に洗濯物（例えば、タオル）を干すと、吊り下げ杆１００側のタオルの縁辺が接触して、他の部分に比べて乾き難くなる。
【０００４】
本発明は、上述の実状に鑑みて為されたものであって、その主たる課題は、洗濯物が満遍なく乾くと共に操作が簡単で使い勝手の良いパラソルハンガーを提供する点にある。
【課題を解決するための手段】
【０００５】
本発明の請求項１及び２によるパラソルハンガーの特徴構成は、吊下げ杆の上部にフック機構を設け、吊下げ杆の下部に設けた基台の周方向複数箇所には、アーム長の異なる複数本のハンガーアームを吊下げ杆を中心に放射状に倒伏させた吊下げ姿勢と起立させた格納姿勢とに揺動切替え自在に交互に枢着するパラソルハンガーであって、複数本のハンガーアームを格納姿勢で係合保持する係合状態とハンガーアームの倒伏を許容する係合解除状態とに切替え自在な係合手段を設けた点にある。
【０００６】
本発明の請求項３によるパラソルハンガーの特徴構成は、前記係合手段が、各ハンガーアームに形成された被係合部と、格納姿勢にある全てのハンガーアームの被係合部に対して係合可能な係合部を備え、かつ、吊下げ杆に対して一定範囲内で摺動自在に外嵌保持された係止体である点にある。
【０００７】
本発明の請求項４によるパラソルハンガーの特徴構成は、前記各ハンガーアームの少なくとも基端側には、該ハンガーアームに掛止された洗濯物を弾性力で挾持する挾持体が一体形成されているとともに、前記被係合部が、少なくとも前記挾持体の一部をもって形成されている点にある。
【０００８】
本発明の請求項５によるパラソルハンガーの特徴構成は、前記フック機構には、フック開口と向きが逆になる補助フックが、配備されている点にある。
【０００９】
本発明の請求項６によるパラソルハンガーの特徴構成は、前記ハンガーアームには、延出方向に沿って嵌合レールが形成され、この嵌合レールに対して着脱自在であるとともに、嵌合レールと嵌合状態で摺動可能なレール受けを有する洗濯はさみが備えられている点にある。
【発明の効果】
【００１０】
請求項１および２の構成によれば、アーム長の異なる複数本のハンガーアームを吊下げ杆を中心に放射状に枢着しているので、洗濯物を各ハンガーアームの先端側に乾すと、近接するハンガーアームの基端側の洗濯物が接触しないので、洗濯物を満遍なく乾かせられることができる。
【００１１】
請求項３の構成によれば、ハンガーアームと、アームレバーの基本動作に連動して、ハンガーアームに形成された被係合部と係合部との係合を可能にする構成を用いているので、構造が簡素でトラブルを生じにくいため、信頼性の高い商品を形成することができる。
【００１２】
請求項４の構成によれば、ハンガーアームの挾持体を被係合部として部材が兼用化されているので、部品点数の削減化、構成の簡素化を図ることができる。
【００１３】
請求項５の構成によれば、フック機構は大径のフックと小径の補助フックの構成になっているので、例えば、雨、夜露、凍結を避けるために室内の鴨居やなげし等の被取付け体を利用して干す場合には、補助フックを用いて引掛けることができるため、フック機構に加えて補助フックがあることによって幅広い被取付け体に対して引掛け使用することができ便利である。
【００１４】
請求項６の構成によれば、必要に応じて必要数の洗濯はさみをハンガーアームに装着して使用することによって、洗濯物の干し方の多様化を図ることができ、干せる洗濯物内容を多様化させることができる利点を有する。
【発明を実施するための最良の形態】
【００１５】
以下、本発明のパラソルハンガーＡの実施形態を図面に基づいて説明する。このパラソルハンガーＡは、図１〜図３に示すように、吊下げ杆１の上部にフック機構２を設け、吊下げ杆１の下部に設けた基台３の周方向複数箇所、例えば２０箇所には、長尺アームと短尺アームが交互に位置するように２０本のハンガーアーム４を吊下げ杆１を中心に放射状に倒伏させた吊下げ姿勢と起立させた格納姿勢とに揺動切替え自在に枢着している。
【００１６】
フック機構２は、吊下げ杆１の上端に一体形成された固定フック２Ａと、該固定フック２Ａの背面部に設けられた固定フックとは向きが逆になる補助フックとから構成されている。
【００１７】
前記吊下げ杆１の適宜位置には、周方向にハンガーアームと同数の凹部が設けられている鍔１Ａがスライド自在に取付けられ、起立姿勢のハンガーアーム４が当接して係止されるようになっている。
【００１８】
前記基台３は、図２に示すように、合わせ型状の下ケース３Ａと上ケース３Ｂとを上下方向から嵌合して構成されており、上ケース３Ｂには、各ハンガーアーム４の起立姿勢と吊下げ姿勢とに亘ってハンガーアーム４の基部が抜け止め状態で案内されるスリット３ａが周方向に沿ってハンガーアーム４に対応して形成され、下ケース３Ａには、ハンガーアーム４の起立姿勢と吊下げ姿勢とに亘ってハンガーアーム４の基端が案内支持する円弧ガイド３ｂが形成されている。
【００１９】
各ハンガーアーム４の基部には、他の部分よりも少し幅広で筒状をなす軸受け部４Ａが一体形成され、この軸受け部分４Ａが基台３のスリット３ａに対応して収容されて、軸受け部４Ａを中心にしてハンガーアーム４を、基台３に対してほぼ水平状態となる倒伏姿勢と、基台３に対してほぼ垂直姿勢となる起立姿勢とに変更自在に構成されている。
【００２０】
基台３の中央上面部には、吊下げ杆１の下端部分が挿入保持される杆支持凹部３Ｃが形成されている。
【００２１】
前記係合手段８は、各ハンガーアーム４に形成された凸状の被係合部１２ａと、格納姿勢にあるハンガーアーム４の被係合部１２ａに対して上下方向から係合可能な凹状の環状溝からなる係合部１３ａを形成するとともに、吊下げ杆１に対して一定範囲内で摺動自在に外嵌保持された係止体１３と、この係止体１３とから構成されている。
【００２２】
各ハンガーアーム４の先端側と基端側とには、該ハンガーアーム４に掛止された洗濯物を弾性力で挾持する挾持体１２、１２が一体形成されている。この実施形態においては、ハンガーアーム４の基端側の挟持体１２において、ハンガーアーム４の接合部分からＵターン部分に折り曲がる部分に亘る凸状部分をもってハンガーアーム４の被係合部１２ａが形成されている。また、各挾持体１２には、抜差し方向に沿って対向する挟持部分に、交互に噛合う凹凸部１２ｂが配列形成されている。
【００２３】
各ハンガーアーム４には、図４（イ）、（ロ）に示すように、延出方向に沿って断面形状が倒立Ｔ字状の嵌合レール４Ｃが形成され、この嵌合レール４Ｃに対して着脱自在であるとともに、嵌合レール４Ｃと嵌合状態で摺動可能なアリ溝状のレール受け１７ａを有する洗濯はさみ１７が付属部品として複数が備えられている。
【００２４】
そのため、必要なハンガーアーム４に適宜数のレール受け１７ａ付きの洗濯はさみ１７を装着して、ハンガーアーム４で洗濯物を干すことも、洗濯はさみ１７を使って洗濯物を干すこともできるパラソルハンガーＡを形成することができる。
【００２５】
この実施形態の場合、ハンガーアーム４の先端部に位置して、洗濯はさみ１７のレール受け１７ａが挿入嵌合される嵌合レール４Ｃの始端部分が形成され、図４（イ）に示すように、この始端部分は、嵌合レール４Ｃに嵌合された洗濯はさみ１７のレール受け１７ａにとっては抜け止め抵抗となって、嵌合レール４Ｃから洗濯はさみ１７が容易には脱落することがように上方に湾曲するレール形態に構成されている。このような抜け止め構成以外には、嵌合レール４Ｃの始端部分の肉厚さを厚く形成して、レール受け１７ａとの着脱抵抗を大きく形成して、嵌合レール４Ｃから洗濯はさみ１７が容易には脱落することがないように構成してもよい。
【００２６】
また、各ハンガーアーム４の先端部には、横倒しＵ字状の小フック４Ｂが一体形成されており、例えば、市販されている紐付きの洗濯はさみ等の紐部分を引掛けることができるようになっている。
【００２７】
上記構成のパラソルハンガーＡにおいて、各構成部材は、ポリプロピレン（ＰＰ）等の合成樹脂から成形されている。
【００２８】
このような構成のパラソルハンガーＡであれば、パラソルハンガーＡ全体を逆さまにして、自重によってハンガーアームＡを格納姿勢に切替えて、各ハンガーアーム４の被係合部１２ａと係止体１３の係合部１３ａとを係合可能状態にすると、全ハンガーアーム４の被係合部１２ａが係止体１３の係合部１３ａと係合状態になって、吊下げ姿勢にあるハンガーアーム４を格納姿勢に切替えることができる。
【００２９】
上記実施形態では、ハンガーアーム４の本数が２０本のものについて説明したが、２０本より少ない本数であっても、反対に多い本数であってもよい。
【００３０】
上記実施形態では、ハンガーアーム４に付属の洗濯はさみ１７を、ハンガーアーム４自体に設けた嵌合レール４Ｃと、洗濯はさみ１７に設けたレール受け１７ａとを介して、ハンガーアーム４に対して洗濯はさみ１７を着脱自在に構成したものについて説明したが、本発明はこれに限らず、洗濯はさみ１７の着脱構成のない単なる棒状のハンガーアーム４構成のものであってもよい。
【００３１】
上記実施形態では、ハンガーアーム４の嵌合レール４Ｃに、レール受け１７ａ付きの洗濯はさみ１７を付属して、必要に応じて装着して使用することができる商品形態のものについて説明したが、本発明はこれに限らず、始めから、例えば、各ハンガーアーム、又は。所定本数のハンガーアームに、嵌合レール４Ｃを介してレール受け１７ａ付きの洗濯はさみ１７を、少なくとも一つを設けられている商品形態であってもよい。
【産業上の利用可能性】
【００３２】
本発明は、主としてタオルや下着等の洗濯物を干すのに、一般家庭で用いられているパラソルハンガーに関するものであるが、ハンガーアームの長さを適宜変更することにより、クローゼットや洋服タンス内に設置して衣類を吊下げハンガーとして用いると便利である。
【図面の簡単な説明】
【００３３】
【図１】本発明の実施形態のパラソルハンガーを示す簡略斜視図
【図２】ハンガーアームが収納状態を示す縦断面図
【図３】ハンガーアームが倒伏状態を示す縦断面図
【図４】アームハンガーにレール受け付きの洗濯はさみが装着された状態を示す説明図であり、（イ）は両者の装着関係を側面視状態で示す説明図、（ロ）は両者の装着関係を一部断面にて示す説明図
【図５】従来のハンガーアームの構造を示す縦断権図
【符号の説明】
【００３４】
Ａ  パラソルハンガー
１  吊下げ杆
２  フック機構
２Ａ  固定フック
２Ｂ  補助フック
３  基台
４  ハンガーアーム
４Ｃ  嵌合レール
８  係合手段
１２  挟持体
１２ａ  被係合部
１３  係止体
１３ａ  係合部
１７  洗濯はさみ
１７ａ  レール受け
【図１】
2008018194.tif 000003
【図２】
2008018194.tif 000004
【図３】
2008018194.tif 000005
【図４】
2008018194.tif 000006
【図５】
2008018194.tif 000007